(57)【要約】【課題】医用装置が動作中であっても、所定の機能に対しては保守を可能とする医用システムを提供する。【解決手段】関連機能一覧テーブル記憶部３５には、医用装置３の動作と、その動作において実行される機能を示す関連機能一覧テーブルが記憶されている。保守可否判断部３４は、保守の実施要求時における医用装置３の動作を示す情報を動作状況確認部３３から取得して、関連機能一覧テーブルを参照することで、その動作で実行される機能を検索する。その動作で実行される機能に、保守端末５１にて遠隔保守を行う機能（保守対象の機能）が含まれていない場合、保守可否判断部３４は、保守対象の機能に対する保守は実施可能であると判断し、要求処理部３６は、保守端末５１にて要求された保守を実施する。【選択図】図１
2008073448.tif 000002
【特許請求の範囲】
【請求項１】
複数の機能を実行することで所定の動作を行う医用装置と、前記医用装置が実行する前記機能を遠隔から保守する保守端末とがネットワークを介して接続された医用システムであって、
前記保守の実施要求時における前記医用装置の動作中に、前記保守の対象となる機能が含まれていなければ、前記保守の対象となる機能に対する保守を実施する要求処理手段と、
を有することを特徴とする医用システム。
【請求項２】
前記保守の実施要求時における前記医用装置の動作を確認する動作状況確認手段と、
前記医用装置の前記所定の動作を実行する上で実行される機能及び実行されない機能を示す関連機能一覧テーブルを記憶する関連機能一覧テーブル記憶手段と、
前記関連機能一覧テーブルを参照し、前記保守の実施要求時における前記医用装置の動作中に、前記保守の対象となる機能が含まれていなければ、前記保守の対象となる機能に対する保守は可能であると判断する保守可否判断手段と、
を更に有し、
前記保守可否判断手段により保守可能であると判断された場合に、前記要求処理手段は、前記保守の対象となる機能に対する保守を実施することを特徴とする請求項１に記載の医用システム。
【請求項３】
前記保守の実施要求時における前記医用装置の動作を確認する動作状況確認手段と、
前記医用装置の前記所定の動作を実行する上で選択的に実行される機能を示す関連機能一覧テーブルを記憶する関連機能一覧テーブル記憶手段と、
前記関連機能一覧テーブルを参照し、前記保守の実施要求時における前記医用装置の動作中に選択的に実行される機能に、前記保守の対象となる機能が含まれている場合は、前記保守端末に、前記保守の対象となる機能が、前記医用装置の動作中に選択的に実行される旨を送信する保守可否判断手段と、
を更に有し、
前記要求処理手段は、前記保守端末から、前記保守の対象となる機能に対する保守を実施する指示を受けた場合に、前記保守の対象となる機能に対する保守を実施することを特徴とする請求項１に記載の医用システム。
【請求項４】
前記関連機能一覧テーブル記憶手段は、前記医用装置の各操作者が実行可能な機能を示す実行可能機能一覧テーブルを更に記憶し、
前記保守可否判断手段は、前記実行可能機能一覧テーブルを参照して、前記保守の対象となる機能が、前記保守の実施要求時における前記医用装置の操作者によって実行可能な機能に該当しない場合、前記保守の対象となる機能に対する保守は可能であると判断し、前記保守の対象となる機能が、前記保守の実施要求時における前記医用装置の操作者によって実行可能な機能に該当する場合は、更に、前記関連機能一覧テーブルを参照して、前記保守の実施要求時における前記医用装置の動作中に、前記保守の対象となる機能が含まれていなければ、前記保守の対象となる機能に対する保守は可能であると判断することを特徴とする請求項２に記載の医用システム。
【請求項５】
前記保守の実施要求時における前記医用装置が実行中の機能を確認する動作状況確認手段を更に有し、
前記要求処理手段は、前記医用装置が実行中の機能を基準として、前記保守の対象となる機能が、前記医用装置が実行中の機能の前に実行された機能であれば、前記保守の対象となる機能に対する保守を実施することを特徴とする請求項１に記載の医用システム。
【請求項６】
複数の機能を実行することで所定の動作を行う医用装置と、前記医用装置が実行する前記機能を遠隔から保守する保守端末とがネットワークを介して接続された医用システムであって、
一覧作成要求を受け付けて、前記一覧作成要求時において前記医用装置の動作を実行する上で実行されない機能の一覧を作成し、前記保守端末に送信する一覧作成手段と、
前記保守端末から、前記一覧に含まれる所望の機能に対する保守を実施する指示を受けた場合に、前記所望の機能に対する保守を実施する要求処理手段と、
を有することを特徴とする医用システム。
【請求項７】
前記医用装置の所定の動作を実行する上で実行される機能及び実行されない機能を示す関連機能一覧テーブルを記憶する関連機能一覧テーブル記憶手段を更に有し、
前記一覧作成手段は、
前記関連機能一覧テーブルを参照して、前記一覧作成要求時において前記医用装置の動作を実行する上で実行されない機能の一覧を作成し、前記保守端末に送信することを特徴とする請求項６に記載の医用システム。
【請求項８】
複数の機能を実行することで所定の動作を行う医用装置であって、
前記機能を保守する保守端末から所望の機能に対する保守の実施要求を、ネットワークを介して受け付け、前記保守の対象とある機能が、前記保守の実施要求時における前記医用装置の動作中に含まれていなければ、前記保守の対象の機能に対する保守を実施する要求処理手段と、
を有することを特徴とする医用装置。
【請求項９】
複数の機能を実行することで所定の動作を行う医用装置であって、
一覧作成要求を受け付け、前記一覧作成要求時において実施されている保守の対象となっていない機能の一覧を作成する一覧作成手段と、
前記一覧に含まれる所望の機能を実行する指示を受けた場合に、前記所望の機能を実行する要求処理手段と、
を有することを特徴とする医用装置。
【請求項１０】
前記保守の種類ごとに保守の対象となる機能及び対象とならない機能の一覧を示す保守関連機能一覧テーブルを記憶する関連機能一覧テーブル記憶手段を更に有し、
前記一覧作成手段は、前記保守関連機能一覧テーブルを参照して、前記一覧作成要求時において実施されている保守の対象となっていない機能の一覧を作成することを特徴とする請求項９に記載の医用装置。
【発明の詳細な説明】
【技術分野】
【０００１】
この発明は、Ｘ線ＣＴ装置、ＭＲＩ装置、超音波診断装置、又はＸ線診断装置などの医用装置に対する保守の技術に関する。
【背景技術】
【０００２】
従来、Ｘ線ＣＴ装置、ＭＲＩ装置、又はＸ線診断装置などの医用装置に対して遠隔からの保守が行われている（例えば特許文献１）。ここでいう保守には、医用装置の各種機能のアップグレードや、各種パラメータの変更などが含まれる。
【０００３】
医用装置に対して遠隔からの保守を実施しようとする場合、遠隔保守中に医用装置を使用されることでの不都合を回避するために、従来においては、遠隔保守を行う日時と所要時間を予め決めて、保守対象となる医用装置の使用を予約する必要があった。また、遠隔からの保守中には、遠隔保守中である旨を医用装置に表示させたり、医用装置の操作を制限したりして、医用装置を使用させないようにしていた。
【０００４】
【特許文献１】特開２００２−３０６４５１号公報
【発明の開示】
【発明が解決しようとする課題】
【０００５】
以上のように、従来においては、医用装置の全ての機能を停止して遠隔保守を行っていた。つまり、保守対象となっている機能とは関係がない機能についても全て停止して、遠隔保守を行っていた。
【０００６】
しかしながら、保守対象となっている機能とは関係がない機能についても全て停止していたため、使用したい機能とは全く関係がない機能を保守している場合であっても、その使用したい機能を実行することができない問題があった。例えば、ある機能を緊急に実行したい場合に、緊急に使用した機能とは全く関係がない機能を保守している場合であっても、全ての機能を停止して保守を行っているため、緊急に使用したい機能を実行することができなかった。このように、遠隔保守中には、保守対象となっている機能とは関係がない機能についても全て停止して、一切医用装置を稼動させることができないため、医用装置の稼働時間が短くなってしまう問題があった。
【０００７】
例えば、Ｘ線ＣＴ装置は、装置に患者を登録するための患者登録機能や、撮影条件を装置に設定する機能や、撮影機能や、装置の動作の履歴を示すログを取得するログ取得機能など各種機能を実行することができる。例えば、ログ取得機能について保守しようとする場合、従来においては、Ｘ線ＣＴ装置の全ての機能を停止していたため、保守中には、患者登録機能や撮影機能などの他の機能を実行することができなかった。ログ取得機能と、患者登録機能や撮影機能などの他の機能とが関係せず、ログ取得機能の保守を行うことで、患者登録機能や撮影機能などの他の機能の実行に影響を与えることがなくても、ログ取得機能の保守中においては、患者登録機能や撮影機能などの他の機能を全て停止していた。このように、保守中には、保守対象となっている機能（ここでは、ログ取得機能）とは関係がない機能についても全て停止していたため、一切Ｘ線ＣＴ装置を稼動させることができず、Ｘ線ＣＴ装置の稼働時間が短くなっていた。
【０００８】
この発明は上記の問題点を解決するものであり、医用装置が動作中であっても、所定の機能に対しては保守を可能とする医用システム及び医用装置を提供することを目的とする。
【課題を解決するための手段】
【０００９】
請求項１に記載の発明は、複数の機能を実行することで所定の動作を行う医用装置と、前記医用装置が実行する前記機能を遠隔から保守する保守端末とがネットワークを介して接続された医用システムであって、前記保守の実施要求時における前記医用装置の動作中に、前記保守の対象となる機能が含まれていなければ、前記保守の対象となる機能に対する保守を実施する要求処理手段と、を有することを特徴とする医用システムである。
【００１０】
請求項６に記載の発明は、複数の機能を実行することで所定の動作を行う医用装置と、前記医用装置が実行する前記機能を遠隔から保守する保守端末とがネットワークを介して接続された医用システムであって、一覧作成要求を受け付けて、前記一覧作成要求時において前記医用装置の動作を実行する上で実行されない機能の一覧を作成し、前記保守端末に送信する一覧作成手段と、前記保守端末から、前記一覧に含まれる所望の機能に対する保守を実施する指示を受けた場合に、前記所望の機能に対する保守を実施する要求処理手段と、を有することを特徴とする医用システムである。
【００１１】
請求項８に記載の発明は、複数の機能を実行することで所定の動作を行う医用装置であって、前記機能を保守する保守端末から所望の機能に対する保守の実施要求を、ネットワークを介して受け付け、前記保守の対象とある機能が、前記保守の実施要求時における前記医用装置の動作中に含まれていなければ、前記保守の対象の機能に対する保守を実施する要求処理手段と、を有することを特徴とする医用装置である。
【００１２】
請求項９に記載の発明は、複数の機能を実行することで所定の動作を行う医用装置であって、一覧作成要求を受け付け、前記一覧作成要求時において実施されている保守の対象となっていない機能の一覧を作成する一覧作成手段と、前記一覧に含まれる所望の機能を実行する指示を受けた場合に、前記所望の機能を実行する要求処理手段と、を有することを特徴とする医用装置である。
【発明の効果】
【００１３】
この発明によると、保守の実施要求時における医用装置の動作中に、保守対象の機能が含まれていなければ、その保守対象の機能に対する保守を実施することにより、医用装置の動作を停止させないで保守を行うことが可能となる。これにより、医用装置の稼働率を向上させることが可能となる。
【発明を実施するための最良の形態】
【００１４】
［第１の実施の形態］
この発明の第１実施形態に係る医用システム及び医用装置の構成について、図１を参照して説明する。図１は、この発明の第１実施形態に係る医用システムの概略構成を示すブロック図である。
【００１５】
医用システム１は、医療機関２と遠隔保守センタ４を含んで構成されている。医療機関２には、Ｘ線ＣＴ装置、ＭＲＩ装置、超音波診断装置、又はＸ線診断装置などの医用装置３が設けられている。遠隔保守センタ４には、医用装置３を遠隔から保守するための遠隔保守装置５が設けられている。ここでは、１例として、医用装置３がＸ線ＣＴ装置の場合について説明する。
【００１６】
遠隔保守センタ４の遠隔保守装置５は、保守端末５１を備えている。保守端末５１は、表示装置と入力装置を備えて構成され、ネットワークを介して医用装置３に接続して、医用装置３に対して保守の実施を要求し、医用装置３が実行する各機能の保守を行うために用いられる。保守端末５１にて与えられた保守の実施要求は、ネットワークを介して医用装置３に送信される。医用装置３の保守として、例えば、医用装置３のサービスログの取得や、医用装置３の各機能（ソフトウェア）のアップグレードや、各種パラメータの変更などが該当する。保守端末５１は、このような保守の実施要求をネットワーク経由で医用装置３に送信し、医用装置３のサービスログを遠隔から取得したり、医用装置３の各機能（ソフトウェア）のアップグレードを遠隔から実施したり、各種パラメータの変更を遠隔から実施したりする。
【００１７】
医用装置３は、操作端末３１、処理要求受付部３２、動作状況確認部３３、保守可否判断部３４、関連機能一覧テーブル記憶部３５、及び要求処理部３６を備えて構成されている。
【００１８】
処理要求受付部３２は、遠隔保守センタ４に設置されている保守端末５１から送信された保守の実施要求を受け付ける。
【００１９】
関連機能一覧テーブル記憶部３５には、医用装置３の動作と、その動作において実行される機能を示す関連機能一覧テーブルが記憶されている。この関連機能一覧テーブルは予め作成されて、関連機能一覧テーブル記憶部３５に記憶される。
【００２０】
この関連機能一覧テーブルは、保守端末５１にて要求された保守が、その保守の実施要求時における医用装置３の動作中で、実施可能か否かを判断する際の規準となる。つまり、関連機能一覧テーブルは、保守端末５１にて遠隔保守を行う機能（保守対象の機能）に対する保守が、保守の実施要求時における医用装置３の動作中で、実施可能か否かを判断する際の規準となる。
【００２１】
保守端末５１にて遠隔保守を行う機能（保守対象の機能）が、ある動作において実行される機能に該当する場合は、その保守対象の機能に対する保守は実施不可能であると判断される。一方、保守端末５１にて遠隔保守を行う機能（保守対象の機能）が、ある動作において実行される機能に該当しない場合は、その保守対象の機能に対する保守は実施可能であると判断される。
【００２２】
ここで、関連機能一覧テーブルの１例を図２に示す。図２は、関連機能一覧テーブルの１例を示す表である。医用装置３がＸ線ＣＴ装置の場合、医用装置３が実行する動作としては、例えば、（１）通常撮影、（２）造影撮影、（３）造影撮影フィルム連動、（４）撮影条件設定、（５）ファイル操作、（６）フィルム出力、（７）３Ｄ処理（画像処理）、及び（８）再構成Ｒｅｔｒｙなどが該当する。図２に示す動作は、Ｘ線ＣＴ装置としての医用装置３が実行する動作の１例であり、医用装置３は、図２に示す動作以外の動作も実行する。
【００２３】
関連機能一覧テーブルには、各動作で実行される機能が示されている。医用装置３が実行する機能の１例として、（Ａ）患者登録機能、（Ｂ）撮影条件設定機能、（Ｃ）撮影機能、（Ｄ）造影撮影機能、（Ｅ）フィルム出力機能、（Ｆ）ファイル操作機能、（Ｇ）３Ｄ処理（画像処理）機能、及び（Ｈ）サービスログ取得機能などが該当する。関連機能一覧テーブルにおいて、実行予定となっている機能は、その動作において必ず実行される機能である。未使用となっている機能は、その動作においては実行されない機能である。未定となっている機能は、その動作において実行されることもあれば、実行されないこともあり、例えば、操作者の指示に従って実行されることがある機能である。つまり、未定となっている機能は、選択的に実行される機能である。
【００２４】
換言すると、関連機能一覧テーブルは、各動作において保守が可能な機能（処理）を示していることになる。つまり、ある動作において実行予定となっている機能は、その動作において必ず実行される機能であるため、その動作中において保守ができない機能である。そのため、保守端末５１にて遠隔保守を行う機能（保守対象の機能）が、ある動作において実行予定となっている機能に該当する場合は、その保守対象の機能に対する保守は実施不可能であると判断される。
【００２５】
一方、ある動作において未使用となっている機能は、その動作において実行されない機能であるため、その動作中において保守ができる機能である。そのため、保守端末５１にて遠隔保守を行う機能（保守対象の機能）が、ある動作において実行予定となっていない機能に該当する場合は、その保守対象の機能に対する保守は実施可能であると判断される。
【００２６】
また、ある動作において実行が未定となっている機能は、選択的に実行される機能である。つまり、未定となっている機能は、その動作において実行されることもあれば、実行されないこともあるため、操作者の指示に従って保守の可否が判断される機能である。そのため、保守端末５１にて遠隔保守を行う機能（保守対象の機能）が、ある動作において実行が未定となっている機能に該当する場合は、操作者の指示に従って保守の可否が判断される。
【００２７】
ここで、（１）通常撮影、（３）造影撮影フィルム連動、及び（７）３Ｄ処理（画像処理）において実行される機能と、各動作における処理の流れについて説明する。
【００２８】
まず、（１）通常撮影において実行される機能と処理の流れについて、図２及び図３を参照して説明する。図３は、通常撮影における処理の流れを示すフローチャートである。
【００２９】
（１）通常撮影においては、図２に示すように、（Ａ）患者登録機能、（Ｂ）撮影条件設定機能、及び（Ｃ）撮影機能が実行予定となっており、（Ｅ）フィルム出力機能が未定となっている。従って、医用装置３は、（Ａ）患者登録機能、（Ｂ）撮影条件設定機能、及び（Ｃ）撮影機能を実行する。また、医用装置３は、（Ｅ）フィルム出力機能を実行する場合がある。
【００３０】
（Ａ）患者登録機能は、例えば操作端末３１を用いて、患者ＩＤや患者名などの患者を特定する情報を医用装置３に登録する機能である。（Ｂ）撮影条件設定機能は、例えば操作端末３１を用いて、医用装置３による撮影条件（撮影パラメータ）を設定する機能である。医用装置３がＸ線ＣＴ装置の場合、撮影条件には、Ｘ線管球の電圧値や電流値の他、ヘリカルスキャンの条件などが含まれる。（Ｃ）撮影機能は、医用装置３を実際に動作させて撮影を行い、医用画像データを取得する機能である。医用装置３がＸ線ＣＴ装置の場合、撮影機能は、ヘリカルスキャンなどの撮影を医用装置３に実行させる機能である。また、（Ｅ）フィルム出力機能は、医用装置３にて患者を撮影することで取得された医用画像をフィルムに印刷する機能である。（１）通常撮影においては、（Ｅ）フィルム出力機能は必ず実行されるとは限らず、例えば、操作者からの指示があった場合に、実行される機能である。
【００３１】
また、（１）通常撮影においては、図２に示すように、（Ｄ）造影撮影機能、（Ｆ）ファイル操作機能、（Ｇ）３Ｄ処理（画像処理）機能、及び、（Ｈ）サービスログ取得機能は未使用となっている。従って、医用装置３は、（Ｄ）造影撮影機能、（Ｆ）ファイル操作機能、（Ｇ）３Ｄ処理（画像処理）機能、及び（Ｈ）サービスログ取得機能を実行しない。
【００３２】
以上のように、（１）通常撮影においては、医用装置３の全ての機能が実行されるわけではなく、（１）通常撮影に関係する機能が実行されることになる。
【００３３】
従って、（Ａ）患者登録機能、（Ｂ）撮影条件設定機能、及び（Ｃ）撮影機能は、（１）通常撮影において実行されるため、医用装置３の動作が（１）通常撮影の場合、（Ａ）患者登録機能、（Ｂ）撮影条件設定機能、及び（Ｃ）撮影機能に対しては、保守端末５１から遠隔保守を行うことはできない。
【００３４】
一方、（Ｄ）造影撮影機能、（Ｆ）ファイル操作機能、（Ｇ）３Ｄ処理（画像処理）機能、及び（Ｈ）サービスログ取得機能は、（１）通常撮影において実行されないため、医用装置３の動作が（１）通常撮影の場合、（Ｄ）造影撮影機能、（Ｆ）ファイル操作機能、（Ｇ）３Ｄ処理（画像処理）機能、及び（Ｈ）サービスログ取得機能に対しては、保守端末５１から遠隔保守を行うことができる。
【００３５】
また、（Ｅ）フィルム出力機能は、（１）通常撮影において実行されることもあれば、実行されないこともあるため、医用装置３の動作が（１）通常撮影の場合、操作者の指示に従って保守の可否が判断される。
【００３６】
そして、図３のフローチャートに示すように、操作端末３１にて患者の登録がなされた後（ステップＳ０１）、操作端末３１にて撮影条件の設定がなされ（ステップＳ０２）、その後、医用装置３によって撮影が実行される（ステップＳ０３）。医用装置３がＸ線ＣＴ装置の場合、例えば、医用装置３はヘリカルスキャンを実行することで、患者の断層像データを取得する。また、操作者によってフィルム出力の指示が与えられると、医用装置３は、撮影によって取得した医用画像をフィルムに印刷する（ステップＳ０４）。その後、別の患者を撮影する場合、患者登録を新たに行う（ステップＳ０１）。
【００３７】
次に、（３）造影撮影フィルム連動において実行される機能と処理の流れについて、図２及び図４を参照して説明する。図４は、造影撮影フィルム連動における処理の流れを示すフローチャートである。
【００３８】
（３）造影撮影においては、図２に示すように、（Ａ）患者登録機能、（Ｂ）撮影条件設定機能、（Ｃ）撮影機能、（Ｄ）造影撮影機能、及び（Ｅ）フィルム出力機能が実行予定となっている。従って、医用装置３は、（Ａ）患者登録機能、（Ｂ）撮影条件設定機能、（Ｃ）撮影機能、（Ｄ）造影撮影機能、及び（Ｅ）フィルム出力機能を実行する。
【００３９】
（Ｄ）造影撮影機能は、患者に造影剤を注入した状態で撮影（プレップスキャン）を行って医用画像を取得し、その医用画像に設定された関心領域（ＲＯＩ）内のＣＴ値の変化に基づいて、ヘリカルスキャン（本スキャン）開始のタイミングを計る機能である。例えば、関心領域（ＲＯＩ）内のＣＴ値が予め設定された閾値以上になると、医用装置３は、ヘリカルスキャン（本スキャン）を開始する。
【００４０】
また、（３）造影撮影フィルム連動においては、図２に示すように、（Ｆ）ファイル操作機能、（Ｇ）３Ｄ処理（画像処理）機能、及び、（Ｈ）サービスログ取得機能は未使用となっている。従って、医用装置３は、（Ｆ）ファイル操作機能、（Ｇ）３Ｄ処理（画像処理）機能、及び（Ｈ）サービスログ取得機能を実行しない。
【００４１】
以上のように、（３）造影撮影フィルム連動においては、医用装置３の全ての機能が実行されるわけではなく、（３）造影撮影フィルム連動に関係する機能が実行されることになる。
【００４２】
従って、（Ａ）患者登録機能、（Ｂ）撮影条件設定機能、（Ｃ）撮影機能、（Ｄ）造影撮影、及び（Ｅ）フィルム出力機能は、（３）造影撮影フィルム連動において実行されるため、医用装置３の動作が（３）造影撮影フィルム連動の場合、（Ａ）患者登録機能、（Ｂ）撮影条件設定機能、（Ｃ）撮影機能、（Ｄ）造影機能、及び（Ｅ）フィルム出力機能に対しては、保守端末５１から遠隔保守を行うことはできない。
【００４３】
一方、（Ｆ）ファイル操作機能、（Ｇ）３Ｄ処理（画像処理）機能、及び（Ｈ）サービスログ取得機能は、（３）造影撮影フィルム連動において実行されないため、医用装置３の動作が（３）造影撮影フィルム連動の場合、（Ｆ）ファイル操作機能、（Ｇ）３Ｄ処理（画像処理）機能、及び（Ｈ）サービスログ取得機能に対しては、保守端末５１から遠隔保守を行うことができる。
【００４４】
そして、図４に示すフローチャートに示すように、操作端末３１にて患者の登録がなされた後（ステップＳ１０）、操作端末３１にて撮影条件の設定がなされ（ステップＳ１１）、その後、患者に造影剤を注入し、医用装置３はプレップスキャンを実行することで、本スキャン開始のタイミングを計る（ステップＳ１２）。そして、本スキャン開始のタイミングが与えられると、医用装置３はヘリカルスキャンを実行することで撮影を行い、患者の断層像データを取得する（ステップＳ１３）。なお、撮影を行っている最中であっても、撮影条件を変えることができる。そして、医用装置３は、撮影によって取得した医用画像をフィルムに印刷する（ステップＳ１４）。その後、別の患者を登録する場合、患者登録を新たに行う（ステップＳ１０）。
【００４５】
次に、（７）３Ｄ処理（画像処理）において実行される機能と処理の流れについて、図２及び図５を参照して説明する。図５は、３Ｄ処理（画像処理）における処理の流れを示すフローチャートである。
【００４６】
（７）３Ｄ処理（画像処理）においては、図２に示すように、（Ｆ）ファイル操作機能、及び（Ｇ）３Ｄ処理（画像処理）機能が実行予定となっており、（Ｅ）フィルム出力機能が未定となっている。従って、医用装置３は、（Ｆ）ファイル操作機能、及び（Ｇ）３Ｄ処理（画像処理）機能を実行する。また、医用装置３は、（Ｅ）フィルム出力機能を実行する場合がある。
【００４７】
（Ｆ）ファイル操作機能は、例えば操作端末３１を用いて、画像処理の対象となるボリュームデータを指定する機能である。（Ｇ）３Ｄ処理（画像処理）機能は、指定されたボリュームデータに対してボリュームレンダリングやＭＰＲ処理などの画像処理を施すことにより、３次元画像データやＭＰＲ画像データなどの表示用の画像データを生成する。（Ｇ）３Ｄ処理（画像処理）機能によって生成された画像データに基づく画像は、操作端末３１の表示装置に表示されることになる。
【００４８】
また、（７）３Ｄ処理（画像処理）においては、図２に示すように、（Ａ）患者登録機能、（Ｂ）撮影条件設定機能、（Ｃ）撮影機能、（Ｄ）造影撮影機能、及び、（Ｈ）サービスログ取得機能は未使用となっている。従って、医用装置３は、（Ａ）患者登録機能、（Ｂ）撮影条件設定機能、（Ｃ）撮影機能、（Ｄ）造影撮影機能、及び、（Ｈ）サービスログ取得機能を実行しない。
【００４９】
以上のように、（７）３Ｄ処理（画像処理）においては、医用装置３の全ての機能が実行されるわけではなく、（７）３Ｄ処理（画像処理）に関係する機能が実行されることになる。
【００５０】
従って、（Ｆ）ファイル操作機能、及び（Ｇ）３Ｄ処理（画像処理）機能は、（７）３Ｄ処理（画像処理）において実行されるため、医用装置３の動作が（７）３Ｄ処理（画像処理）の場合、（Ｆ）ファイル操作機能、及び（Ｇ）３Ｄ処理（画像処理）機能に対しては、保守端末５１から遠隔保守を行うことはできない。
【００５１】
一方、（Ａ）患者登録機能、（Ｂ）撮影条件設定機能、（Ｃ）撮影機能、（Ｄ）造影撮影機能、及び（Ｈ）サービスログ取得機能は、（７）３Ｄ処理（画像処理）において実行されないため、医用装置３の動作が（７）３Ｄ処理（画像処理）の場合、（Ａ）患者登録機能、（Ｂ）撮影条件設定機能、（Ｃ）撮影機能、（Ｄ）造影撮影機能、及び（Ｈ）サービスログ取得機能に対しては、保守端末５１から遠隔保守を行うことができる。
【００５２】
また、（Ｅ）フィルム出力機能は、（７）３Ｄ処理（画像処理）において実行されることもあれば、実行されないこともあるため、医用装置３の動作が（７）３Ｄ処理（画像処理）の場合、操作者の指示に従って保守の可否が判断される。
【００５３】
そして、図５のフローチャートに示すように、操作端末３１にて画像処理の対象となるボリュームデータが指定された後（ステップＳ２０）、医用装置３はそのボリュームデータに対してボリュームレンダリングなどの画像処理を施すことにより、３次元画像データなどの表示用の画像データを生成する（ステップＳ２１）。また、操作者によってフィルム出力の指示が与えられると、医用装置３は、生成された画像をフィルムに印刷する（ステップＳ２２）。
【００５４】
ここでは、（１）通常撮影、（３）造影撮影フィルム連動、及び（７）３Ｄ処理（画像処理）において実行される機能について説明したが、他の動作についても、図２の表に示すように、医用装置３の全ての機能が実行されず、各動作に関係した機能が実行されることになる。
【００５５】
なお、この実施形態では、各動作で実行される機能及び実行されない機能を示す関連機能一覧テーブルを用いて、保守の実施要求時における医用装置３の動作中に、要求された保守が実施可能か否かを判断するが、図３から図５に示すフローチャート（ワークフロー）を用いて、要求された保守が実施可能か否かを判断してもよい。
【００５６】
動作状況確認部３３は、保守の実施要求時における医用装置３の動作を確認する。つまり、動作状況確認部３３は、医用装置３がどのような動作を行うかを確認する。例えば、動作状況確認部３３は、医用装置３が、図２の表に示す、（１）通常撮影、（２）造影撮影、（３）造影撮影フィルム連動、（４）撮影条件設定、（５）ファイル操作、（６）フィルム出力、（７）３Ｄ処理（画像処理）、又は（８）再構成Ｒｅｔｒｙのうち、いずれの動作を実行するかを確認する。
【００５７】
保守可否判断部３４は、保守端末５１にて遠隔から要求された保守が、保守の実施要求時における医用装置３の動作中に、実施可能か否かを判断する。つまり、保守可否判断部３４は、保守端末５１にて遠隔保守を行う機能（保守対象の機能）に対する保守が、保守の実施要求時における医用装置３の動作中に、実施可能か否かを判断する。このとき、保守可否判断部３４は、動作状況確認部３３にて確認された、保守の実施要求時における医用装置３の動作と、関連機能一覧テーブル記憶部３５に記憶さている関連機能一覧テーブルとに基づいて、その動作中に、保守端末５１にて遠隔保守を行う機能（保守対象の機能）に対する保守が実施可能か否かを判断する。
【００５８】
関連機能一覧テーブルには、医用装置３の各動作において実行される機能が示されている。換言すると、関連機能一覧テーブルには、医用装置３の各動作において、保守が可能な機能（処理）が示されている。
【００５９】
よって、保守可否判断部３４は、保守の実施要求時における医用装置３の動作を示す情報を動作状況確認部３３から取得し、関連機能一覧テーブルを参照することで、その動作中に、保守端末５１にて遠隔保守を行う機能（保守対象の機能）に対する保守を実施することが可能か否かを判断することができる。
【００６０】
例えば、保守可否判断部３４は、保守の実施要求時における医用装置３の動作を示す情報を動作状況確認部３３から取得して、関連機能一覧テーブルを参照することで、その動作で実行される機能を検索し、検索された機能に、保守端末５１にて遠隔保守を行う機能（保守対象の機能）が含まれるか否かを判断する。
【００６１】
保守端末５１にて遠隔保守を行う機能（保守対象の機能）が、保守の実施要求時における医用装置３の動作において実行される機能に含まれている場合は、遠隔保守を行う機能（保守対象の機能）は、その動作において実行される予定の機能であるため、保守可否判断部３４は、保守対象の機能に対する保守は実施不可能であると判断する。
【００６２】
一方、保守端末５１にて遠隔保守を行う機能（保守対象の機能）が、保守の実施要求時における医用装置３の動作において実行される機能に含まれない場合は、遠隔保守を行う機能（保守対象の機能）は、その動作において実行されない機能であるため、保守可否判断部３４は、保守対象の機能に対する保守は実施可能であると判断する。
【００６３】
例えば、動作状況確認部３３にて確認された医用装置３の動作が、（１）通常撮影の場合、関連機能一覧テーブルによると、（Ａ）患者登録機能、（Ｂ）撮影条件設定機能、及び（Ｃ）撮影機能が実行予定であり、（Ｅ）フィルム出力機能が未定となっており、（Ｄ）造影撮影機能、（Ｆ）ファイル操作機能、（Ｇ）３Ｄ処理（画像処理）機能、及び（Ｈ）サービスログ取得機能が未使用となっている。
【００６４】
この場合、保守端末５１にて遠隔保守を行う機能（保守対象の機能）が、患者登録機能、撮影条件設定機能、又は、撮影機能であった場合、（１）通常撮影の動作では、それらの機能が実行されるため、保守可否判断部３４は、保守対象の機能に対する保守は、実施不可能であると判断する。
【００６５】
一方、保守端末５１にて遠隔保守を行う機能（保守対象の機能）が、造影撮影機能、ファイル操作機能、３Ｄ処理（画像処理）機能、又はサービスログ取得機能であった場合、（１）通常撮影の動作では、それらの機能は実行されないため、保守可否判断部３４は、保守対象の機能に対する保守は実施可能であると判断する。
【００６６】
また、保守端末５１にて遠隔保守を行う機能（保守対象の機能）が、フィルム出力機能であった場合、（１）通常撮影の動作においては、その機能は実行されることもあれば、実行されないこともあるため、保守可否判断部３４は、操作者の判断に従って、保守対象の機能に対する保守の実施の可否を判断する。
【００６７】
保守端末５１にて要求された保守の実施が可能であると判断された場合、保守可否判断部３４から要求処理部３６に保守の実施要求が送られ、要求処理部３６はその要求に従って保守を実施する。例えば、保守端末５１にて要求された保守が、サービスログの取得であった場合、要求処理部３６は、医用装置３に記憶されているサービスログを取得し、ネットワークを介して遠隔保守装置５に設置されている保守端末５１に送信する。
【００６８】
一方、保守端末５１にて要求された保守の実施が不可能であると判断された場合、保守可否判断部３４は、不可能である旨を、ネットワークを介して遠隔保守装置５に設置されている保守端末５１に送信する。保守端末５１の表示装置には、要求が不可能である旨が表示される。
【００６９】
要求処理部３６は、保守端末５１にて要求された保守の実施が可能であると判断された場合に、その要求された保守を実施する。例えば、要求処理部３６は、各機能（ソフトウェア）のアップグレードや、パラメータの設定変更や、サービスログの取得などを実行する。
【００７０】
なお、医用装置３は、図示しないＣＰＵと、ＲＯＭ、ＲＡＭ、ＨＤＤなどの記憶装置を備えて構成されている。記憶装置には、動作状況確認部３３による処理を実行するための動作状況確認プログラムと、保守可否判断部３４による処理を実行するための保守可否判断プログラムと、要求処理部３６による処理を実行するための要求処理プログラムが記憶されている。
【００７１】
そして、ＣＰＵが、記憶装置から動作状況確認プログラムを読み込んで実行することにより、医用装置３の動作を確認する。また、ＣＰＵが、記憶装置から保守可否判断プログラムを読み込んで実行することにより、保守端末５１にて要求された保守が実行可能か否かを判断する。また、ＣＰＵは、記憶装置から要求処理プログラムを読み込んで実行することにより、保守端末５１から要求された保守を実行する。
【００７２】
（動作）
次に、この発明の第１実施形態に係る医用システム１による一連の動作について、図６を参照して説明する。図６は、この発明の第１実施形態に係る医用システムによる一連の動作を示すフローチャートである。
【００７３】
（ステップＳ３０）
まず、操作者が、遠隔保守装置５に設置されている保守端末５１を用いて、保守の実施を要求する。例えば、医用装置３のサービスログの取得や、ある機能のアップグレードなどを、保守端末５１を用いて要求する。ここでは、医用装置３のサービスログを取得する場合について説明する。保守端末５１にて与えられた保守の実施要求は、ネットワークを介して医用装置３に送信される。
【００７４】
（ステップＳ３１）
保守端末５１にて保守の実施要求がなされると、医用装置３の処理要求受付部３２が、保守端末５１から送信された保守の実施要求を受信する。処理要求受付部３２は、受け付けた要求を保守可否判断部３４に出力する。
【００７５】
（ステップＳ３２）
保守可否判断部３４は、動作状況確認部３３から、保守の実施要求時における医用装置３の動作を示す情報を取得する。ここでは、医用装置３の動作を通常撮影とする。
【００７６】
（ステップＳ３３）
さらに、保守可否判断部３４は、関連機能一覧テーブル記憶部３５から、関連機能一覧テーブルを取得する。
【００７７】
（ステップＳ３４）
そして、保守可否判断部３４は、保守端末５１からの要求、及び医用装置３の動作を基に、関連機能一覧テーブルを参照することで、保守の実施要求時における医用装置３の動作中に、保守端末５１にて要求された保守を実施することが可能か否かを判断する。
【００７８】
例えば、医用装置３の動作が、図２の表に示す（１）通常撮影であり、保守端末５１にて遠隔保守を行う機能（保守対象の機能）が、サービスログ取得機能であった場合、サービスログ取得機能は、（１）通常撮影において実行されない機能であるため、保守可否判断部３４は、遠隔保守の実行は可能であると判断する。そして、保守可否判断部３４は、要求処理部３６に、保守の実施要求を送る。この場合、保守可否判断部３４は、要求処理部３６に、サービスログ取得の要求を送る。
【００７９】
一方、保守端末５１にて遠隔保守を行う機能（保守対象の機能）が、例えば、撮影機能であった場合、撮影機能は（１）通常撮影において実行される機能であるため、保守可否判断部３４は、遠隔保守の実施は不可能であると判断する。そして、保守可否判断部３４は、要求された保守の実施が不可能である旨を、保守端末５１に送信する。
【００８０】
（ステップＳ３５）
保守端末５１は、保守の実施が不可能である旨を受信すると、その不可能である旨を表示装置に表示する。これにより、保守端末５１の操作者は、医用装置３の現在の動作中では、遠隔保守を行うことはできないことを認識することができる。
【００８１】
（ステップＳ３６）
一方、保守端末５１にて要求された保守の実施が可能であると判断された場合、要求処理部３６は、その保守の実施要求を受けて、その保守を実施する。例えば、サービスログの取得が要求されている場合、要求処理部３６は、医用装置３に記憶されている装置のサービスログを取得し、そのサービスログをネットワーク経由で保守端末５１に送信する。
【００８２】
（ステップＳ３７）
保守端末５１は、医用装置３からサービスログを受信すると、そのサービスログを表示装置に表示する。
【００８３】
以上のように、第１実施形態に係る医用システム１によると、医用装置３が稼動中であっても、その稼動状況下で遠隔保守を行うことができる機能を特定することができ、保守可能な機能については、遠隔保守を行うことが可能となる。よって、全ての機能を停止しなくても、医用装置３の遠隔保守が可能となるため、医用装置３を停止させている時間を削減して、医用装置３の稼働率を向上させることが可能となる。
【００８４】
例えば、サービスログを保守端末５１で取得するためだけに医用装置３の稼動を停止する必要はなく、医用装置３を稼動させたまま、サービスログを取得することができるため、医用装置３の稼働率を向上させることができる。
【００８５】
（変形例）
次に、この発明の第１実施形態に係る医用システム１の変形例について、図７を参照して説明する。図７は、この発明の第１実施形態に係る医用システムの変形例による一連の動作を示すフローチャートである。
【００８６】
この変形例では、保守端末５１から要求された遠隔保守の対象となる機能が、保守の実施要求時における医用装置３の動作において、選択的に実行される機能である場合について説明する。
【００８７】
（ステップＳ４０）
まず、操作者が、遠隔保守装置５に設置されている保守端末５１を用いて、保守の実施を要求する。ここでは、フィルム出力機能の保守を実施する場合について説明する。保守端末５１にて与えられた保守の実施要求は、ネットワークを介して医用装置３に送信される。
【００８８】
（ステップＳ４１）
保守端末５１にて保守の実施要求がなされると、医用装置３の処理要求受付部３２が、保守端末５１から送信された保守の実施要求を受信する。処理要求受付部３２は、受け付けた要求を保守可否判断部３４に出力する。
【００８９】
（ステップＳ４２）
保守可否判断部３４は、動作状況確認部３３から、保守の実施要求時における医用装置３の動作を示す情報を取得する。ここでは、医用装置３の動作を通常撮影とする。
【００９０】
（ステップＳ４３）
さらに、保守可否判断部３４は、関連機能一覧テーブル記憶部３５から、関連機能一覧テーブルを取得する。
【００９１】
（ステップＳ４４）
そして、保守可否判断部３４は、保守端末５１からの要求、及び医用装置３の動作を基に、関連機能一覧テーブルを参照することで、保守の実施要求時における医用装置３の動作中に、保守端末５１にて要求された保守を実施することが可能か否かを判断する。
【００９２】
例えば、医用装置３の動作が、図２の表に示す（１）通常撮影であり、保守端末５１にて遠隔保守を行う機能（保守対象の機能）が、フィルム出力機能であった場合、フィルム出力機能は、（１）通常撮影において実施が未定な機能であるため、保守可否判断部３４は、フィルム出力機能は、選択的に実施される機能である旨を、保守端末５１に送信する。
【００９３】
（ステップＳ４５）
保守端末５１は、保守対象の機能（フィルム出力機能）が、保守の実施要求時における医用装置３の動作において選択的に実行される旨を受信すると、その旨を表示装置に表示する。これにより、保守端末５１の操作者は、現在の医用装置３の動作中では、保守対象の機能（フィルム出力機能）が実行される可能性があることを認識することができる。
【００９４】
そして、操作者は、保守の実施又は中止を、保守端末５１を用いて指示する。保守端末５１にて与えられた指示は、ネットワークを介して医用装置３に送信される。
【００９５】
（ステップＳ４６）
処理要求受付部３２は、保守端末５１から送信された保守の実施又は中止の指示を受信して、その指示を保守可否判断部３４に送信する。
【００９６】
（ステップＳ４７）
保守端末５１にて与えられた指示が、保守の実施である場合、保守可否判断部３４は、要求処理部３６に、保守の実施要求を送る。
【００９７】
一方、保守端末５１にて与えられた指示が、保守の中止である場合、保守可否判断部３４は、要求処理部３６に、保守の実施要求を送ることなく、一連の処理は終了する。
【００９８】
（ステップＳ４８）
保守端末５１にて与えられた指示が、保守の実施要求である場合、要求処理部３６は、保守の実施要求を受けて、その保守を実施する。例えば、フィルム出力機能のアップグレードが要求されている場合、要求処理部３６は、フィルム出力機能のアップグレードを実施する。
【００９９】
（ステップＳ４９）
そして、要求処理部３６によって保守が実施された場合、保守端末５１に処理の結果が送信される。例えば、機能のアップグレードを行った場合、要求処理部３６は、アップグレード終了の旨を保守端末５１に送信する。保守端末５１は、アップグレード終了の旨を表示装置に表示する。また、保守端末５１での要求が、サービスログの取得であった場合、要求処理部３６は、医用装置３から取得したサービスログを保守端末５１に送信する。保守端末５１は、そのサービスログを表示装置に表示する。
【０１００】
以上のように、この変形例に係る医用システムによると、選択的に実行される機能については、保守端末５１の操作者の判断に従って保守を行う。このように、選択的に実行される機能についても、保守可能な機能については、医用装置３が稼動中であっても、遠隔保守を行うことができる。よって、医用装置３を稼動させたまま、保守を行うことができるため、医用装置３の稼働率を向上させることが可能となる。
【０１０１】
［第２の実施の形態］
次に、この発明の第２実施形態に係る医用システム及び医用装置について、図８から図１０を参照して説明する。図８は、この発明の第２実施形態に係る医用システムの概略構成を示すブロック図である。図９は、端末に表示される表の１例である。図１０は、この発明の第２実施形態に係る医用システムによる一連の動作を示すフローチャートである。
【０１０２】
この第２実施形態に係る医用システムは、医用装置３Ａが動作中に、その動作とは関係がない機能の一覧を作成し、動作中であっても所定の機能について保守を可能とする。
【０１０３】
この第２実施形態に係る医用装置３Ａは、図１に示す第１実施形態に係る医用装置３が備えている保守可否判断部３４の代わりに一覧作成部３７を備えている。医用装置３Ａのそれ以外の構成は、第１実施形態に係る医用装置３の構成と同じであるため、説明を省略する。
【０１０４】
一覧作成部３７は、保守の実施要求時における医用装置３の動作中に、保守可能な機能の一覧を作成する。このとき、一覧作成部３７は、動作状況確認部３３にて確認された医用装置３Ａの動作と、関連機能一覧テーブル記憶部３５に記憶されている関連機能一覧テーブルとに基づいて、保守の実施要求時における医用装置３の動作中に、保守可能な機能一覧を作成する。
【０１０５】
関連機能一覧テーブルには、医用装置３が動作中に保守可能な機能と不可能な機能が示されている。よって、一覧作成部３７は、保守の実施要求時における医用装置３Ａの動作を示す情報を動作状況確認部３３から取得し、関連機能一覧テーブルを参照することで、その動作中に、保守可能な機能の一覧を作成することができる。また、一覧作成部３７は、実行が未定となっている機能を一覧に含ませてもよい。
【０１０６】
そして、一覧作成部３７は、保守可能な機能の一覧のデータを保守端末５１に送信する。保守端末５１は、医用装置３Ａから保守可能な機能の一覧のデータを受信すると、その一覧を表示装置に表示する。操作者は、保守端末５１の表示装置に表示されている機能の一覧を参照し、保守を行いたい機能があれば、一覧からその機能を選択し、その機能の保守の実施を医用装置３Ａに要求する。処理要求受付部３２は、保守端末５１から送信された保守の実施要求を受け付け、保守の実施要求を要求処理部３６に出力する。要求処理部３６は、その要求を実施する。
【０１０７】
例えば、医用装置３の動作が、図２の表に示す（１）通常撮影である場合、（Ａ）患者登録機能、（Ｂ）撮影条件設定機能、及び（Ｃ）撮影機能が実行され、（Ｅ）フィルム出力機能が実行未定となっており、（Ｄ）造影撮影機能、（Ｆ）ファイル操作機能（Ｇ）３Ｄ処理（画像処理）機能、及び（Ｈ）サービスログ取得機能が未使用となっている。従って、（Ｄ）造影撮影機能、（Ｆ）ファイル操作機能（Ｇ）３Ｄ処理（画像処理）機能、及び（Ｈ）サービスログ取得機能が保守可能となっているため、一覧作成部３７は、保守可能となっている機能の一覧を作成する。そして、一覧作成部３７は、その一覧のデータをネットワーク経由で保守端末５１に送信する。また、一覧作成部３７は、実行が未定となっている機能を一覧のデータに含ませてもよい。例えば、（１）通常撮影の場合、（Ｅ）フィルム出力機能が実行未定となっているため、一覧作成部３７は、（Ｅ）フィルム出力機能を一覧のデータに含ませてもよい。
【０１０８】
保守端末５１は、保守可能な機能の一覧を表示装置に表示する。この表示装置に表示される機能の一覧の１例を図９に示す。（１）通常撮影においては、（Ｄ）造影撮影機能、（Ｆ）ファイル操作機能（Ｇ）３Ｄ処理（画像処理）機能、及び（Ｈ）サービスログ取得機能が保守可能となっているため、図９に示すように、保守端末５１の表示装置には、それら機能の一覧が表示される。
【０１０９】
そして、操作者は、保守端末５１の表示装置に表示されている機能の一覧を参照し、その一覧から保守したい機能を選択する。例えば、図９に示す（Ｈ）サービスログ取得機能を保守したい場合、表示装置に表示されている一覧から、（Ｈ）サービスログ取得機能を選択し、（Ｈ）サービスログ取得機能の保守を医用装置３に要求する。これにより、要求処理部３６は、サービスログ取得機能の保守を実施する。
【０１１０】
なお、医用装置３Ａは、図示しないＣＰＵと、記憶装置を備えて構成されている。記憶装置には、第１実施形態に係る医用装置３と同様に、動作状況確認プログラム、及び要求処理プログラムが記憶されている。また、第２実施形態では、記憶装置に、一覧作成部３７による処理を実行するための一覧作成プログラムが記憶されている。ＣＰＵが、記憶装置から一覧作成プログラムを読み込んで実行することにより、保守可能な機能の一覧を作成する。
【０１１１】
（動作）
次に、この発明の第２実施形態に係る医用システムによる一連の動作について、図１０を参照して説明する。
【０１１２】
（ステップＳ５０）
まず、操作者が、遠隔保守装置５に設置されている保守端末５１を用いて、保守可能な機能の一覧の取得を要求する。保守端末５１にて与えられた取得要求は、ネットワークを介して医用装置３Ｂに送信される。
【０１１３】
（ステップＳ５１）
医用装置３Ａの処理要求受付部３２は、保守端末５１から送信された保守可能な機能の一覧の取得要求を受信する。処理要求受付部３２は、受け付けた要求を一覧作成部３７に出力する。
【０１１４】
（ステップＳ５２）
一覧作成部３７は、一覧取得要求時における医用装置３Ａの動作を示す情報を動作状況確認部３３から取得する。ここでは、医用装置３Ａの動作を通常撮影とする。
【０１１５】
（ステップＳ５３）
さらに、一覧作成部３７は、関連機能一覧テーブル記憶部３５から、関連機能一覧テーブルを取得する。
【０１１６】
（ステップＳ５４）
そして、一覧作成部３７は、一覧取得要求時における医用装置３Ａの動作を基に、関連機能一覧テーブルを参照することで、その動作中に、保守可能な機能の一覧を生成する。
【０１１７】
例えば、医用装置３Ａの動作が、図２の表に示す（１）通常撮影である場合、（Ａ）患者登録機能、（Ｂ）撮影条件設定機能、及び（Ｃ）撮影機能が実行され、（Ｅ）フィルム出力機能が実行未定となっており、（Ｄ）造影撮影機能、（Ｆ）ファイル操作機能（Ｇ）３Ｄ処理（画像処理）機能、及び（Ｈ）サービスログ取得機能が未使用となっている。従って、（Ｄ）造影撮影機能、（Ｆ）ファイル操作機能（Ｇ）３Ｄ処理（画像処理）機能、及び（Ｈ）サービスログ取得機能が保守可能となっているため、一覧作成部３７は、保守可能となっている機能の一覧を作成する。そして、一覧作成部３７は、その一覧のデータをネットワーク経由で保守端末５１に送信する。また、一覧作成部３７は、実行が未定となっている（Ｅ）フィルム出力機能を一覧に含ませてもよい。
【０１１８】
（ステップＳ５５）
保守端末５１は、保守可能な機能の一覧のデータを受信すると、図９に示すように、機能の一覧の表示装置に表示する。これにより、保守端末５１の操作者は、現在の医用装置３Ｂの動作中に、保守可能な機能を把握することが可能となる。
【０１１９】
そして、操作者は、保守端末５１の表示装置に表示されている機能の一覧を参照し、その一覧から保守を実施したい機能を選択し、その機能に対する保守の要求を与える。保守端末５１にて与えられた保守の要求は、ネットワークを介して医用装置３Ｂに送信される。
【０１２０】
（ステップＳ５６）
処理要求受付部３２は、保守端末５１から送信された保守の要求を受信して、その保守の要求を要求処理部３６に送る。
【０１２１】
（ステップＳ５７）
要求処理部３６は、保守端末５１にて与えられた保守の要求を受けて、その要求を実行する。例えば、要求処理部３６は、保守端末５１にて指定された機能のアップグレードや、パラメータの変更などを実施する。
【０１２２】
以上のように、第２実施形態に係る医用システム１Ａによると、医用装置３Ａが稼動中であっても、その稼動状況下で保守可能な機能を特定することができ、保守可能な機能については、保守を行うことが可能となる。よって、医用装置３Ａを稼動させたまま、所定の機能に対して保守を行うことができるため、医用装置３Ａを停止させている時間を削減して、医用装置３Ａの稼働率を向上させることが可能となる。
【０１２３】
［第３の実施の形態］
次に、この発明の第３実施形態に係る医用装置システム及び医用装置について、図１１から図１４を参照して説明する。図１１は、この発明の第３実施形態に係る医用システムの概略構成を示すブロック図である。図１２は、保守関連機能一覧テーブルの１例を示す表である。図１３は、端末に表示される表の１例である。図１４は、この発明の第３実施形態に係る医用装置による一連の動作を示すフローチャートである。
【０１２４】
この第３実施形態に係る医用装置３Ｂは、医用装置に対して遠隔保守が行われているときに、保守対象とは関係がない機能の一覧を作成し、保守中であっても所定の機能を実行可能とする。
【０１２５】
この第３実施形態に係る医用装置３Ｂは、図１に示す第１実施形態に係る医用装置３が備えている動作状況確認部３３の代わりに保守状況確認部３８を備え、保守可否判断部３４の代わりに一覧作成部３７を備えている。また、関連機能一覧テーブル記憶部３９には、第１実施形態とは異なるテーブルが記憶されている。医用装置３Ｂのそれら以外の構成は、第１実施形態に係る医用装置３の構成と同じであるため、説明を省略する。
【０１２６】
関連機能一覧テーブル記憶部３９には、医用装置３Ｂに対して施される保守と、その保守を行っている際に実行可能な機能を示す保守関連機能一覧テーブルが記憶されている。この保守関連機能一覧テーブルは予め作成されて、関連機能一覧テーブル記憶部３９に記憶されている。
【０１２７】
この保守関連機能一覧テーブルは、一覧取得要求時における医用装置３Ｂの保守中に、実行要求された機能が実行可能か否かを判断する際の規準となる。例えば、操作端末３１にて実行要求された機能が、ある保守中において保守対象の機能に該当する場合は、実行要求された機能は実行不可能であると判断される。一方、操作端末３１にて実行要求された機能が、ある保守中において保守対象の機能に該当しない場合は、実行要求された機能は実行可能であると判断される。
【０１２８】
ここで、保守関連機能一覧テーブルの１例を図１２に示す。医用装置３ＢがＸ線ＣＴ装置の場合、医用装置３Ｂに対して施される保守としては、例えば、（１）患者登録系の保守、（２）撮影系の保守、（３）ファイル操作系の保守、（４）フィルム系の保守、（５）３Ｄ処理（画像処理）系の保守、及び（６）ログ取得系の保守などが該当する。図１２に示す保守内容は、Ｘ線ＣＴ装置としての医用装置３Ｂに施される保守の１例であり、医用装置３Ｂに対しては、図１２に示す保守以外の保守も施される。
【０１２９】
保守関連機能一覧テーブルには、医用装置３Ｂの保守中に実行可能な機能と実行不可能な機能が示されている。機能の１例として、（Ａ）患者登録機能、（Ｂ）撮影条件設定機能、（Ｃ）撮影機能、（Ｄ）造影撮影機能、（Ｅ）フィルム出力機能、（Ｆ）ファイル操作機能、及び（Ｇ）３Ｄ処理（画像処理）機能などが該当する。保守関連機能一覧テーブルにおいて、実行可能となっている機能は、遠隔保守中においても、実行することができる機能である。実行不可能となっている機能は、遠隔保守中においては、実行することができない機能である。
【０１３０】
例えば、（１）患者登録系の保守においては、（Ｂ）撮影条件設定機能、（Ｅ）フィルム出力機能、（Ｆ）ファイル操作機能、及び（Ｇ）３Ｄ処理（画像処理）機能は、保守対象となっていないため、遠隔保守中においても実行可能となっている。つまり、（１）患者登録系の保守においては、（Ａ）患者登録機能、（Ｃ）撮影機能、及び（Ｄ）造影撮影機能が保守の対象となり、機能のアップグレードやパラメータの変更などが行われる。
【０１３１】
一方、（１）患者登録系の保守においては、（Ａ）患者登録機能、（Ｃ）撮影機能、及び（Ｄ）造影撮影機能は、保守対象となっているため、遠隔保守中においては実行不可能となっている。
【０１３２】
以上のように、（１）患者登録系の保守においては、医用装置３の全ての機能が実行不可能となるわけではなく、（１）患者登録系の保守に関係する機能が実行不可能となり、関係しない機能は実行可能となる。
【０１３３】
ここでは、（１）患者登録系の保守において実行可能な機能と、実行不可能な機能について説明したが、他の保守状況においても、図１２の表に示すように、医用装置３Ｂの全ての機能が実行不可能となるわけではなく、各保守に関係する機能が実行不可能になり、関係しない機能は実行可能となる。
【０１３４】
保守状況確認部３８は、一覧取得要求時において医用装置３Ｂに対して施されている保守を確認する。つまり、保守状況確認部３８は、一覧取得要求時において医用装置３Ｂに対してどのような保守が施されているのかを確認する。例えば、保守状況確認部３８は、医用装置３Ｂに対して、図１２の表に示す、（１）患者登録系の保守、（２）撮影系の保守、（３）ファイル操作系の保守、（４）フィルム系の保守、（５）３Ｄ処理系の保守、又は（６）ログ取得系の保守のうち、いずれの保守が施されているのかを確認する。
【０１３５】
また、一覧作成部３７は、一覧取得要求時の医用装置３Ｂに対して施されている保守中に実行可能な機能の一覧を作成する。このとき、一覧作成部３７は、保守状況確認部３８にて確認された医用装置３Ｂに対する保守と、保守関連機能一覧テーブル記憶部３９に記憶されている保守関連機能一覧テーブルとに基づいて、一覧取得要求時の医用装置３Ｂに対して施されている保守中に実行可能な機能の一覧を作成する。
【０１３６】
保守関連機能一覧テーブルには、遠隔保守中に実行可能な機能と実行不可能な機能が示されている。よって、一覧作成部３７は、一覧取得要求時の医用装置３Ｂに対して施されている保守を示す情報を保守状況確認部３８から取得し、保守関連機能一覧テーブルを参照することで、その保守中に実行可能な機能の一覧を作成することができる。
【０１３７】
そして、一覧作成部３７は、実行可能な機能の一覧のデータを操作端末３１に送る。操作端末３１は、実行可能な機能の一覧を表示装置に表示する。操作者は、操作端末３１の表示装置に表示されている機能の一覧を参照し、実行したい機能があれば、一覧からその機能を選択し、その機能の実行を医用装置３Ｂに要求する。処理要求受付部３２は、操作端末３１から送られた機能実行の要求を受け付け、実行要求を要求処理部３６に出力する。要求処理部３６は、実行が要求された機能を実行する。
【０１３８】
例えば、（２）撮影系の保守が行われている場合、一覧作成部３７は、保守関連機能一覧テーブルを参照することで、（２）撮影系の保守において実行可能な機能の一覧を作成する。図１２に示すように、（２）撮影系の保守においては、（Ａ）患者登録機能、（Ｅ）フィルム出力機能、（Ｆ）ファイル操作機能、及び（Ｇ）３Ｄ処理機能（画像処理機能）が実行可能となっているため、一覧作成部３７は、それらの機能の一覧を作成する。そして、一覧作成部３７は、その一覧のデータを操作端末３１に送る。
【０１３９】
操作端末３１は、実行可能な機能の一覧を表示装置に表示する。この表示装置に表示される機能の一覧の１例を図１３に示す。（２）撮影系の保守においては、（Ａ）患者登録機能、（Ｅ）フィルム出力機能、（Ｆ）ファイル操作機能、及び（Ｇ）３Ｄ処理機能（画像処理機能）が実行可能であるため、図１３に示すように、操作端末３１の表示装置には、それら機能の一覧が表示される。
【０１４０】
そして、操作者は、操作端末３１の表示装置に表示されている機能の一覧を参照し、その一覧から実行した機能を選択する。例えば、図１３に示す（Ａ）患者登録機能を実行したい場合、表示装置に表示されている一覧から、（Ａ）患者登録機能を選択し、（Ａ）患者登録機能の実行を医用装置３Ｂに要求する。これにより、要求処理部３６は患者登録機能を実行し、操作者は、例えば操作端末３１を用いて患者登録を行うことが可能となる。
【０１４１】
なお、医用装置３Ｂは、図示しないＣＰＵと、記憶装置を備えて構成されている。記憶装置には、保守状況確認部３８による処理を実行するための保守状況確認プログラム、一覧作成部３７による処理を実行するための一覧作成プログラム、及び要求処理プログラムが記憶されている。ＣＰＵが、記憶装置から保守状況確認プログラムを読み込んで実行することにより、医用装置３Ｂに対する保守を確認し、一覧作成プログラムを読み込んで実行することにより、その保守中に実行可能な機能の一覧を作成する。
【０１４２】
（動作）
次に、この発明の第３実施形態に係る医用装置３Ｂによる一連の動作について、図１４のフローチャートを参照して説明する。
【０１４３】
（ステップＳ６０）
まず、操作者が、操作端末３１を用いて、医用装置３Ｂの保守中であっても実行可能な機能の一覧の取得を要求する。
【０１４４】
（ステップＳ６１）
操作端末３１にて実行可能な機能の一覧の取得要求がなされると、処理要求受付部３２は、その要求を受け付ける。処理要求受付部３２は、受け付けた要求を一覧作成部３７に出力する。
【０１４５】
（ステップＳ６２）
一覧作成部３７は、一覧取得要求時の医用装置３Ｂに対して施されている保守を示す情報を保守状況確認部３８から取得する。ここでは、医用装置３Ｂの保守を撮影系の保守とする。
【０１４６】
（ステップＳ６３）
また、一覧作成部３７は、関連機能一覧テーブル記憶部３９から、保守関連機能一覧テーブルを取得する。
【０１４７】
（ステップＳ６４）
そして、一覧作成部３７は、一覧取得要求時の医用装置３Ｂに対して施されている保守を基に、保守関連機能一覧テーブルを参照することで、その保守中に実行可能な機能の一覧を作成する。
【０１４８】
例えば、医用装置３Ｂの保守が、図１２の表に示す（２）撮影系の保守であった場合、（２）撮影系の保守においては、（Ａ）患者登録機能、（Ｅ）フィルム出力機能、（Ｆ）ファイル操作機能、及び（Ｇ）３Ｄ処理機能（画像処理機能）が実行可能であるため、一覧作成部３７は、それらの機能の一覧を作成する。そして、一覧作成部３７は、その一覧のデータを操作端末３１に出力する。
【０１４９】
（ステップＳ６５）
操作端末３１は、実行可能な機能の一覧のデータを受けると、図１３に示すように、機能の一覧を表示装置に表示する。これにより、操作端末３１の操作者は、現在の医用装置３Ｂに対する保守中に実行可能な機能を把握することが可能となる。
【０１５０】
そして、操作者は、操作端末３１の表示装置に表示されている機能の一覧を参照し、その一覧から実行したい機能を選択し、その機能の実行要求を医用装置３Ｂに与える。例えば、図１３に示す一覧のうち、操作者によって（Ａ）患者登録機能が指定されると、操作端末３１から、（Ａ）患者登録機能の実行要求が処理要求受付部３２に送られる。
【０１５１】
（ステップＳ６６）
処理要求受付部３２は、操作端末３１にて与えられた機能の実行要求を受け付け、その実行要求を要求処理部３６に送る。
【０１５２】
（ステップＳ６７）
要求処理部３６は、操作端末３１にて与えられた実行要求を受けて、その要求を実行する。例えば、操作端末３１にて（Ａ）患者登録機能の実行要求が与えられた場合、要求処理部３６は、患者登録機能を実行する。これにより、操作端末３１にて患者登録が可能となる。
【０１５３】
以上のように、第３実施形態に係る医用装置３Ｂによると、医用装置３Ｂが保守中であっても、その保守中で実行可能な機能を特定することができ、実行可能な機能については、実行することが可能となる。よって、医用装置３Ｂの保守を行いながら、所定の機能を実行することができるため、医用装置３Ｂを停止させている時間を削減して、稼働率を向上させることが可能となる。
【０１５４】
［第４の実施の形態］
次に、この発明の第４実施形態に係る医用システムについて、図１５を参照して説明する。図１５は、医用装置の各操作者の実行可能機能一覧テーブルの１例を示す表である。
【０１５５】
この第４実施形態に係る医用システムは、保守の実施要求時において医用装置を使用している操作者の権限に基づいて、遠隔による保守が可能か否かを判断する。
【０１５６】
この第４実施形態に係る医用システムは、第１実施形態に係る医用システム１と同じ構成を備えているが、関連機能一覧テーブル記憶部３５には、図２に示す関連機能一覧テーブルの他、医用装置３の各操作者の実行可能機能一覧テーブルが記憶されている。
【０１５７】
関連機能一覧テーブル記憶部３５に記憶されている、医用装置３の各操作者の実行可能機能一覧テーブルについて、図１５を参照して説明する。図１５に示す実行可能機能一覧テーブルには、医用装置３を使用する各操作者が実行することができる機能が示されている。つまり、操作者の権限によって、個々の操作者が実行することができる機能が限られており、実行可能機能一覧テーブルは、操作者の権限に基づいて作成され、操作者ごとに実行することができる機能が示されている。
【０１５８】
例えば、図１５に示すように、医師Ａは、医用装置３において、（Ａ）患者登録機能、（Ｂ）撮影条件設定機能、（Ｃ）撮影機能、（Ｄ）造影撮影機能、（Ｅ）フィルム出力機能、（Ｆ）ファイル操作機能、及び（Ｇ）３Ｄ処理機能（画像処理機能）を実行することができるが、（Ｈ）サービスログ取得機能を実行することはできない。一方、医師Ｂは、医用装置３において、（Ａ）患者登録機能、（Ｂ）撮影条件設定機能、（Ｃ）撮影機能、（Ｅ）フィルム出力機能、及び（Ｆ）ファイル操作機能を実行することができるが、（Ｄ）造影撮影機能、（Ｇ）３Ｄ処理機能（画像処理機能）、及び（Ｈ）サービスログ取得機能を実行することができない。このように、操作者によって実行可能な機能が異なる。
【０１５９】
保守可否判断部３４は、保守の実施要求時における医用装置３の操作者と、実行可能機能一覧テーブルとに基づいて、その操作者が実行可能な機能を検索する。例えば、操作端末３１にて、医用装置３の操作者を識別するための操作者識別情報（操作者ＩＤ）が入力されると、保守可否判断部３４は、実行可能機能一覧テーブルを参照して、その操作者識別情報によって特定される操作者が実行可能な機能を検索する。
【０１６０】
そして、保守可否判断部３４は、保守端末５１にて遠隔保守が行われる機能（保守対象の機能）が、保守の実施要求時における医用装置３の操作者が実行可能な機能であるか否かを判断する。保守の実施要求時における医用装置３の操作者の権限では、保守対象の機能が実行不可能であれば、その保守対象の機能は実行されることがないため、保守可否判断部３４は、保守端末５１にて要求された保守は、実施可能であると判断する。
【０１６１】
一方、保守の実施要求時における医用装置３の操作者の権限では、保守対象の機能が実行可能であれば、その保守対象の機能が実行される可能性がある。この場合、第１実施形態と同様に、保守可否判断部３４は、図２に示す関連機能一覧テーブルを参照することで、保守端末５１にて要求された保守を実施することが可能か否かを判断する。
【０１６２】
以上のように、第４実施形態に係る医用システムによると、保守の実施要求時における医用装置３の操作者の権限に基づいて、保守端末５１からの遠隔保守の可否を判断することにより、医用装置３を稼動させたまま、所定の機能に対して保守を行うことができる。よって、医用装置３を停止させている時間を削減して、医用装置３の稼働率を向上させることが可能となる。
【０１６３】
［第５の実施の形態］
次に、この発明の第５実施形態に係る医用システムについて、図１６を参照して説明する。図１６は、この発明の第５実施形態に係る医用システムによる一連の動作を示すフローチャートである。
【０１６４】
上記第１実施形態では、保守可否判断部３４は、図２に示す関連機能一覧テーブルを参照することで、保守端末５１にて要求されている保守が実施可能か否かを判断する。これに対して、この第５実施形態では、保守可否判断部３４は、医用装置３で実行中の機能（アプリケーション）を基準にして、保守端末５１にて要求された保守が実施可能な否かを判断する。
【０１６５】
例えば、動作状況確認部３３は、保守の実施要求時における医用装置３で実行中の機能（アプリケーション）を確認する。保守可否判断部３４は、医用装置３で実行中の機能（アプリケーション）を基準にして、保守端末５１にて遠隔保守が行われる機能（保守対象の機能）が、医用装置３で今後実行される予定か否かを判断する。そして、保守対象の機能が、医用装置３で今後実行される予定の場合、保守可否判断部３４は、保守端末５１にて要求された保守の実施は不可能であると判断する。一方、保守対象の機能が、医用装置３で今後実行される予定がない場合、保守可否判断部３４は、保守端末５１にて要求された保守の実施は可能であると判断する。
【０１６６】
例えば、関連機能一覧テーブル記憶部３５に、医用装置３に各機能が実行される順番を示すワークフローを予め記憶しておく。例えば、通常撮影は、患者登録、撮影条件設定、撮影、フィルム出力の順番で各機能が実行されるため、通常撮影のワークフローとしては、それら各機能の順番が示されている。そして、保守可否判断部３４は、保守端末５１からの要求、及び医用装置３で実行中の機能（アプリケーション）を基に、各機能の実行の順番を示すワークフローを参照することで、保守端末５１にて要求された保守を実行することが可能か否かを判断する。
【０１６７】
医用装置３が実行中の機能（アプリケーション）を基準にして、ワークフローを参照することで、保守端末５１にて遠隔保守を行う機能（保守対象の機能）が、実行済みの機能であれば、保守可否判断部３４は、その保守対象の機能に対する保守は可能であると判断する。そして、保守可否判断部３４は、要求処理部３６に、保守の実施要求を送る。
【０１６８】
一方、保守対象の機能が、実行中の機能（アプリケーション）の後に実行される場合、保守対象の機能はこれから実行される予定であるため、保守可否判断部３４は、保守対象の機能に対する保守は不可能であると判断する。そして、保守可否判断部３４は、要求された保守の実施が不可能である旨を、ネットワーク経由で保守端末５１に送信する。
【０１６９】
（動作）
以下、第５実施形態に係る医用システムの動作について、図１６のフローチャートを参照して説明する。
【０１７０】
（ステップＳ７０）
まず、操作者が、遠隔保守装置５に設置されている保守端末５１を用いて、保守の実施を要求する。ここでは、患者登録機能の保守を実施する場合について説明する。保守端末５１にて与えられた保守の実施要求は、ネットワークを介して医用装置３に送信される。
【０１７１】
（ステップＳ７１）
保守端末５１にて保守の実施要求がなされると、医用装置３の処理要求受付部３２が、保守端末５１から送信された保守の実施要求を受信する。処理要求受付部３２は、受け付けた要求を保守可否判断部３４に出力する。
【０１７２】
（ステップＳ７２）
保守可否判断部３４は、保守の実施要求時における医用装置３が実行中の機能（アプリケーション）を示す情報を動作状況確認部３３から取得する。ここでは、実行中の機能（アプリケーション）を撮影機能とする。
【０１７３】
（ステップＳ７３）
さらに、保守可否判断部３４は、関連機能一覧テーブル記憶部３５から、医用装置３にて各機能が実行される順番を示すワークフローを取得する。
【０１７４】
（ステップＳ７４）
そして、保守可否判断部３４は、保守端末５１からの要求、及び実行中の機能（アプリケーション）を基に、各機能の実行の順番を示すワークフローを参照することで、保守端末５１にて要求された保守を実施することが可能な否かを判断する。
【０１７５】
保守端末５１にて遠隔保守を行う機能（保守対象の機能）が、実行済みの機能であれば、保守可否判断部３４は、その保守対象の機能に対する保守を可能と判断する。そして、保守可否判断部３４は、要求処理部３６に、保守の実施要求を送る。一方、保守対象の機能が、実行中の機能（アプリケーション）の後に実行される場合、保守可否判断部３４は、保守対象の機能に対する保守を不可能と判断する。そして、保守可否判断部３４は、要求された保守の実施が不可能である旨を、保守端末５１に送信する
【０１７６】
例えば、保守端末５１にて、患者登録機能の保守が要求された場合であって、現在実行中の機能（アプリケーション）が撮影機能であった場合、撮影機能が実行される以前に患者登録機能が実行されているため、保守可否判断部３４は、患者登録機能に対する保守の実施は可能であると判断する。一方、保守端末５１にて、フィルム出力機能の保守が要求された場合であって、現在実行中の機能（アプリケーション）が撮影機能であった場合、撮影機能が実行される後にフィルム出力機能が実行されるため、保守可否判断部３４は、フィルム出力機能に対する保守の実施は不可能であると判断する。
【０１７７】
（ステップＳ７５）
保守端末５１は、保守の実施が不可能である旨を受信すると、その不可能である旨を表示装置に表示する。これにより、保守端末５１の操作者は、医用装置３の現在の動作状況下では、遠隔保守を行うことはできないことを認識することができる。
【０１７８】
（ステップＳ７６）
一方、要求された保守の実施が可能であると判断された場合、要求処理部３６は、保守可否判断部３４から保守の実施要求を受けて、その保守を実施する。例えば、患者登録機能の保守としてアップグレードが要求されている場合、要求処理部３６は、患者登録機能のアップグレードを実施する。
【０１７９】
以上のように、第５実施形態に係る医用システムによると、上記第１実施形態と同様に、医用装置３を稼動させたまま、医用装置３を保守することができるため、医用装置３の稼動率を向上させることが可能となる。また、医用装置３において現在実行中の機能（アプリケーション）を基準にして、保守端末５１にて要求された保守を実施することが可能か否かを判断することにより、動的に遠隔保守の可否を判断することができる。
【０１８０】
なお、第１から第５の実施形態では、医用装置をＸ線ＣＴ装置として説明したが、Ｘ線ＣＴ装置の他、ＭＲＩ装置、超音波診断装置、Ｘ線診断装置、又は核医学診断装置などであっても、同じ作用及び効果を奏することができる。
【図面の簡単な説明】
【０１８１】
【図１】この発明の第１実施形態に係る医用システムの概略構成を示すブロック図である。
【図２】関連機能一覧テーブルの１例を示す表である。
【図３】通常撮影における処理の流れを示すフローチャートである。
【図４】造影撮影フィルム連動における処理の流れを示すフローチャートである。
【図５】３Ｄ処理（画像処理）における処理の流れを示すフローチャートである。
【図６】この発明の第１実施形態に係る医用システムによる一連の動作を示すフローチャートである。
【図７】この発明の第１実施形態に係る医用システムの変形例による一連の動作を示すフローチャートである。
【図８】この発明の第２実施形態に係る医用システムの概略構成を示すブロック図である。
【図９】端末に表示される表の１例である。
【図１０】この発明の第２実施形態に係る医用システムによる一連の動作を示すフローチャートである。
【図１１】この発明の第３実施形態に係る医用システムの概略構成を示すブロック図である。
【図１２】保守関連機能一覧テーブルの１例を示す表である。
【図１３】端末に表示される表の１例である。
【図１４】この発明の第３実施形態に係る医用装置による一連の動作を示すフローチャートである。
【図１５】医用装置の各操作者の実行可能機能一覧テーブルの１例を示す表である。
【図１６】この発明の第５実施形態に係る医用システムによる一連の動作を示すフローチャートである。
【符号の説明】
【０１８２】
１、１Ａ  医用システム
２  医療機関
３、３Ａ、３Ｂ  医用装置
４  遠隔保守センタ
５  遠隔保守装置
３１  操作端末
３２  処理要求受付部
３３  動作状況確認部
３４  保守可否判断部
３５、３９  関連機能一覧テーブル記憶部
３６  要求処理部
３７  一覧作成部
３８  保守状況確認部
５１  保守端末
【図１】
2008073448.tif 000003
【図２】
2008073448.tif 000004
【図３】
2008073448.tif 000005
【図４】
2008073448.tif 000006
【図５】
2008073448.tif 000007
【図６】
2008073448.tif 000008
【図７】
2008073448.tif 000009
【図８】
2008073448.tif 000010
【図９】
2008073448.tif 000011
【図１０】
2008073448.tif 000012
【図１１】
2008073448.tif 000013
【図１２】
2008073448.tif 000014
【図１３】
2008073448.tif 000015
【図１４】
2008073448.tif 000016
【図１５】
2008073448.tif 000017
【図１６】
2008073448.tif 000018